(57)【特許請求の範囲】
【請求項１】
コンクリート貫通穴に遊嵌する有底筒状の受け金具本体の上端に前記コンクリート貫通穴の上端縁に掛止する鍔部を設けると共に、底面に配管を挿出させる２ヶ所の連結部を有するノックアウト穴を少なくとも１カ所以上設けたことを特徴とする配管貫通孔用コンクリート受け金具。
【請求項２】
前記ノックアウト穴を異径の配管を挿出できるように複数重に形成したことを特徴とする請求項１に記載の配管貫通孔用コンクリート受け金具。
【発明の詳細な説明】
【技術分野】
【０００１】  この発明はハーフプレキャストコンクリート型枠工法において、プレキャストコンクリート板に予め設けた貫通穴に取り付けて、コンクリートスラブ内に埋設する複数本の配管をコンクリートスラブ下に挿出すると共に、スラブに打設するコンクリートを受けて貫通穴と配管の間隙にコンクリートを充填するためのコンクリート受け金具に関する。
【背景技術】
【０００２】  ハーフプレキャストコンクリート型枠工法は、プレキャストコンクリート板を敷き込み、その上に配筋し、コンクリートを打ち込んでコンクリートスラブを形成する工法であるが、その工法において、従来は以下のような手順により配管を行い、貫通穴の仕上げ処理を行っていた。
まず、コンクリートスラブ内に埋設する複数本の配管、特に電気配線等を挿通するための可撓性を有する樹脂管はコンクリート打設前にプレキャストコンクリート板上に配設し、その先端部又は基端部を予め所定の位置に設けた貫通穴からまとめて取り出した状態で配置する。
次に、貫通穴とそれら配管の間隙からコンクリートが漏れ落ちないようにコンクリート板上面から粘着テープ等によりその間隙を閉塞しておき、スラブにコンクリートを打設していた。
養生後、コンクリートスラブ下側から貫通穴と配管の間隙のプレキャストコンクリートの厚さ部分にモルタルを充填して仕上げ処理を行っていた。
また、一般的なコンクリートスラブに設けた貫通穴に配管を挿通した際にも貫通穴と配管との間隙にモルタルを充填して仕上げ処理を行うが、その方法は、例えば、一辺を配管の外周に沿うように半円状に切り欠いたベニア板２枚を配管に沿うように両側から突き合わせ、粘着テープ等でコンクリートスラブ下面に貼り付け、或いは支柱により固定してモルタルの受けとし（特開平１１−３０３３７７号、図１２参照）、コンクリートスラブ上面から貫通穴と配管との間隙にモルタルを流し込んで充填し、養生後、それらベニア板をコンクリートスラブから外していた。
更に、特開平１１−３０３３７７号に記載の穴埋め処理治具のように予め貫通穴に埋設しておき、配管の設置後にモルタルの受けとして使用できるものも開示されている。【０００３】  上記従来の方法では、モルタルを充填する作業がコンクリートスラブの下側から上向きの姿勢での作業となると共に高所での作業となるため、作業手間が掛り、安全性を確保するための機具、装備等の必要もある。
ベニア板をモルタルの受けとする場合でも、モルタルの充填作業自体はコンクリートスラブ上から行えることとなるが、ベニア板の取付け、取り外し作業をコンクリートスラブ下面で行う必要があり、前記と同様に作業手間が掛り、安全性を確保するための機具、装備等の必要となる。
特開平１１−３０３３７７号に開示されている穴埋め処理治具は配管がコンクリートスラブを貫通する一般的な貫通穴の場合であれば有効であるが、ハーフプレキャストコンクリート型枠工法において、コンクリートスラブに埋設する配管を取り出すための貫通穴の仕上げ処理では手順が異なるため有効とはならないなどの問題点があった。
【先行技術文献】
【特許文献】
【０００４】
【特許文献１】特開平１１−３０３３７７号
【発明の概要】
【発明が解決しようとする課題】
【０００５】  この発明は上記従来の課題に鑑みなされたもので、その目的は、ハーフプレキャストコンクリート型枠工法において、コンクリートスラブに埋設する配管、特に可撓性を有する樹脂管を取り出すための貫通穴の仕上げ処理の際、コンクリートスラブ下面からの作業をなくして省力化を図ると共に、貫通穴への取付け、複数の配管の挿出を簡単に行うことでできる、また、外観の仕上げ状態が美観性に優れたコンクリート受け金具を提供することにある。
【課題を解決するための手段】
【０００６】  その手段として本発明の請求項１は、コンクリート貫通穴に遊嵌する有底筒状の受け金具本体の上端に前記コンクリート貫通穴の上端縁に掛止する鍔部を設けると共に、底面に配管を挿出させる２ヶ所の連結部を有するノックアウト穴を少なくとも１カ所以上設けたことを特徴とする。【０００７】  本発明の請求項２は、前記ノックアウト穴を異径の配管を挿出できるように複数重に形成したことを特徴とする。
【発明の効果】
【０００８】  本発明の配管貫通孔用コンクリート受け金具によれば、受け金具本体はコンクリート貫通穴に遊嵌し、上端にコンクリート貫通穴の上端縁に掛止する鍔部を設けたことで、貫通穴に落とし込んで簡単に装着することができる。
底面に配管を挿出させる２ヶ所の連結部を有するノックアウト穴を少なくとも１カ所以上設けているので、配管の本数分だけノックアウト穴を打ち抜けば、必要な数のみ開口を設けることができるので、貫通穴と配管、配管同士の間隙からスラブに打設するコンクリートが漏れ落ちることがないと共に、それら間隙にコンクリートが充填されるので、打設後のモルタルの仕上げ処理をなくすことができ、作業の大幅な省力化を図ることができる。【０００９】  ノックアウト穴を異径の配管を挿出できるように複数重に形成したことにより、管径毎の規格が必要なくなるので、在庫管理が簡素化できて取り扱い易くなるなど、上記従来の課題を解消することができる。
【図面の簡単な説明】
【００１０】
【図１】本発明の実施例を示す斜視図
【図２】本発明の実施例を示す平面図
【図３】本発明の実施例のノックアウト穴を示す拡大平面図
【図４】本発明の別の実施例のノックアウト穴を示す拡大平面図
【図５】本発明の実施例の使用状態図
【図６】本発明の実施例の施工手順を示す説明図
【発明を実施するための形態】
【００１１】  本発明の実施例を図面により詳細に説明する。
図１は本発明の実施例を示す斜視図、図２は本発明の実施例を示す平面図、図３は本発明の実施例のノックアウト穴を示す拡大平面図である。
１は受け金具本体であり、薄鋼板をプレス加工により上端周縁に鍔部２を設けた有底筒状に形成する。
受け金具本体１の外径はプレキャストコンクリート板に設ける貫通穴よりやや小さくすると共に、鍔部２は貫通穴よりやや大きく形成して貫通穴の上端縁に掛止するものとし、高さはプレキャストコンクリート板の厚みと同等とするか、やや低くすることで受け金具本体１をプレキャストコンクリート板の貫通穴に装着した際に下方に突出しないものとする。
鍔部２には透孔３・・・を複数個設けて、釘やビス止め用とする。
底部４には挿出する配管の外径よりやや大きい径のノックアウト穴５・・・を複数個、適宜間隔で形成する。
ノックアウト穴５は、プレス加工により２カ所の連結部６を残して切断溝７を形成したものとする。
また、図４に示すようにノックアウト穴５の内側に小径のノックアウト穴１５を形成し、２種類の大きさとすることで異径の配管を兼用して挿出できるようにすることもできる。
その際、ノックアウト穴５と小径のノックアウト穴１５の連結部６、１６の位置が重ならない互い違いになるように形成する。
【００１２】  次に本発明の実施例の使用方法を、実施例を用いて説明する。
図５は本発明の実施例の使用状態図、図６は本発明の実施例の施工手順を示す説明図である。
プレキャストコンクリート板Ａの貫通穴Ｂから挿出する樹脂管Ｃの本数に合わせて、ノックアウト穴５・・・の連結部６・・を破断して開口を形成すると共に、受け金具本体１を貫通穴Ｂに落とし込んで装着する。
その際に、必要により鍔部２の透孔３・・をコンクリート釘等で固定しておく。
開口となったノックアウト穴５・・・に樹脂管Ｃを挿出する。
スラブにコンクリートＤを打設することにより、コンクリートＤが受け金具本体１上に流れ込んで、複数の樹脂管Ｃの間隙や貫通穴Ｂと樹脂管Ｃの間隙に充填され、すなわち、貫通穴Ｂの仕上げ処理が不要となる。
【符号の説明】
【００１３】１    受け金具本体
２    鍔部
３    透孔
４    底面
５    ノックアウト穴
６    連結部
７    切断溝
１５  小径ノックアウト穴
１６  小径ノックアウト穴の連結部
１７  小径ノックアウト穴の切断溝
Ａ    プレキャストコンクリート板
Ｂ    コンクリート貫通穴
Ｃ    樹脂管
Ｄ    コンクリート
Ｅ    鉄筋
【図１】
0005545266.tif 000002
【図２】
0005545266.tif 000003
【図３】
0005545266.tif 000004
【図４】
0005545266.tif 000005
【図５】
0005545266.tif 000006
【図６】
0005545266.tif 000007